(57)【要約】【課題】  掘削時のスカフォードの揺れを低減しながら衝撃を緩和して立坑のコンクリート側壁の亀裂を防止できるスカフォード用緩衝保持装置を提供する。【解決手段】  掘削機を備えたスカフォードの周部にシリンダをそのシリンダロッドが立坑の側壁に向くように取り付け、ワイヤーロープ４ｃで巻回されたコイルをその巻回部分の対向する位置で拘束部材４ａ，４ｂによりコイル状に保持して拘束し、拘束部材４ｂをシリンダロッドの先端に傾動可能に枢支し、拘束部材４ａに立坑の側壁と当接する当接部材４ｄを取り付け、コイル状のワイヤーロープ４ｃの弾性変形で掘削時の衝撃を緩和できるようにした。【選択図】図１
2007039894.tif 000002
【特許請求の範囲】
【請求項１】
掘削機を備えて立坑内に吊下されるスカフォードの掘削する際に生じる横揺れを緩衝的に保持するスカフォード用緩衝保持装置であって、
スカフォードの周部にシリンダロッドが立坑の側壁に向くように取り付けられたシリンダと、
ワイヤーロープで巻回されたコイルと、そのコイルの巻回部分の対向する位置で前記コイルをコイル状に保持して拘束する一対の拘束部材とで構成される緩衝部材とからなり、
前記一対の拘束部材の一方が前記シリンダロッドの先端に取り付けられ、
前記一対の拘束部材の他方には当接部材が取り付けられることで、
前記シリンダロッドの伸張により前記当接部材が前記立坑の側壁に当接されるようになっていることを特徴とする、スカフォード用緩衝保持装置。
【請求項２】
一対の拘束部材の一方と前記シリンダロッドの先端とは枢支して取り付けられ、前記拘束部材とともに緩衝部材が傾動可能とされていることを特徴とする、請求項１記載のスカフォード用緩衝保持装置。
【発明の詳細な説明】
【技術分野】
【０００１】
本発明は、掘削機を備えたスカフォードを立坑内に吊下して掘削する際、スカフォードを立坑の側壁に対して緩衝的に保持する緩衝保持装置に関する。
【背景技術】
【０００２】
従来、スカフォードには油圧シリンダからなる保持装置が備えられており、スカフォードの周部にシリンダをそのシリンダロッドが立坑の側壁に向くように取り付け、シリンダロッドの先端に立坑の側壁と当接する当接部材を傾動可能に枢支した構造で、掘削時に保持装置でスカフォードを立坑の側壁と所定間隔おいた状態に保持し、掘削の衝撃による揺れでスカフォードが立坑の側壁に接触しないようにしている。
【０００３】
ところで、前記の技術ではスカフォードがほとんど動かないように固定するから、掘削時の衝撃がコンクリートを打設した立坑の側壁に直接伝播し、コンクリートに亀裂が生じ易くなる問題があった。
【特許文献１】特開２００３−１０６０８４号公報
【発明の開示】
【発明が解決しようとする課題】
【０００４】
本発明が解決しようとする課題は、従来のこれらの問題点を解消し、掘削時のスカフォードの揺れを低減しながら衝撃を緩和してコンクリート側壁の亀裂を防止できるスカフォード用緩衝保持装置を提供することにある。
【課題を解決するための手段】
【０００５】
かかる課題を解決した本発明の構成は、
１）  掘削機を備えて立坑内に吊下されるスカフォードの掘削する際に生じる横揺れを緩衝的に保持するスカフォード用緩衝保持装置であって、
スカフォードの周部にシリンダロッドが立坑の側壁に向くように取り付けられたシリンダと、
ワイヤーロープで巻回されたコイルと、そのコイルの巻回部分の対向する位置で前記コイルをコイル状に保持して拘束する一対の拘束部材とで構成される緩衝部材とからなり、
前記一対の拘束部材の一方が前記シリンダロッドの先端に取り付けられ、
前記一対の拘束部材の他方には当接部材が取り付けられることで、
前記シリンダロッドの伸張により前記当接部材が前記立坑の側壁に当接されるようになっていることを特徴とする、スカフォード用緩衝保持装置
２）  一対の拘束部材の一方と前記シリンダロッドの先端とは枢支して取り付けられ、前記拘束部材とともに緩衝部材が傾動可能とされていることを特徴とする、前記１）記載のスカフォード用緩衝保持装置
にある。
【発明の効果】
【０００６】
本発明によれば、強靭で且つ弾性変形できるコイル状のワイヤーロープにより、重量を有するスカフォードの揺れを最小限に抑制しながら掘削時の衝撃を確実に緩和し、コンクリート側壁への衝撃の伝播を遮断して亀裂を防止することができる。
【発明を実施するための最良の形態】
【０００７】
本発明では、緩衝部材の後側の拘束部材をシリンダロッドに枢支して緩衝部材が傾動するようにすると、スカフォードの大きな揺動に対してワイヤーロープの弾性変形と相まって揺れ・衝撃をより柔軟に緩和できて好ましい。以下、本発明の実施例を図面に基づいて具体的に説明する。
【実施例１】
【０００８】
図１は実施例の緩衝保持装置の説明図、図２は実施例の緩衝保持装置の縦断面図、図３は実施例の緩衝保持装置の使用状態を示す説明図、図４は実施例の緩衝保持装置の動きを示す説明図である。図中、１は緩衝保持装置、２は油圧シリンダ、２ａはシリンダロッド、３は外筒、３ａは取付プレート、４は緩衝部材、４ａ，４ｂは拘束部材、４ｃはワイヤーロープ、４ｄは当接部材、４ｅは枢支軸、４ｆは内筒、５はスカフォード、５ａは吊ロープ、６は掘削機、７は保持装置、８はキブル、９は型枠、Ｃはコンクリート側壁、Ｇは地盤、Ｔは立坑である。
【０００９】
本実施例の緩衝保持装置１は、図１，２に示すようにスカフォード５の周部下面に固定する取付プレート３ａを備えた外筒３の内部に油圧シリンダ２を取り付け、油圧シリンダ２のシリンダロッド２ａの先端に拘束部材４ｂを枢支軸４ｅで上下方向に傾動可能に枢支し、ワイヤーロープ４ｃで巻回されたコイルをその巻回部分の対向する位置で拘束部材４ａ，４ｂによりコイル状に保持して拘束している。
【００１０】
拘束部材４ａ，４ｂには横方向に連通する穴が複数形成されており、ワイヤーロープ４ｃを穴に順に通しながらコイル状に巻回して拘束部材４ａ，４ｂを連結するように取り付け、前側の拘束部材４ａに当接部材４ｄを取り付ける。この緩衝保持装置１を図３に示すように３床式のスカフォード５の１床目と２床目の周囲下部に取り付ける。３床目には従来の保持装置７が取り付けられている。
【００１１】
吊ロープ５ａでスカフォード５を立坑Ｔ内で吊下して緩衝保持装置１及び保持装置７を伸長させ、コンクリート側壁Ｃに圧接してスカフォード５を保持した状態で地盤Ｇを掘削機６で掘削する。この掘削時の衝撃・振動は緩衝保持装置１及び保持装置７を通じてコンクリート側壁Ｃに伝播するが、このとき、緩衝保持装置１ではコイル状に巻回したワイヤーロープ４ｃが図４（ａ）〜（ｃ）に示すように柔軟に変形することで吸収・緩和され、コンクリート側壁Ｃへの伝播を低減して亀裂の発生を防止する。
【００１２】
なお、掘削機６を備えたスカフォード５の３床目に本実施例の緩衝保持装置１を用いると、掘削時の反力でスカフォード５が大きく揺動して掘削作業が困難になるから、３床目のみ従来の保持装置７を用いている。
【産業上の利用可能性】
【００１３】
本発明のスカフォード用緩衝保持装置は、複床式のスカフォードを用いた立坑掘削設備に好ましく利用される。
【図面の簡単な説明】
【００１４】
【図１】実施例の緩衝保持装置の説明図である。
【図２】実施例の緩衝保持装置の縦断面図である。
【図３】実施例の緩衝保持装置の使用状態を示す説明図である。
【図４】実施例の緩衝保持装置の動きを示す説明図である。
【符号の説明】
【００１５】
１  緩衝保持装置
２  油圧シリンダ
２ａ  シリンダロッド
３  外筒
３ａ  取付プレート
４  緩衝部材
４ａ，４ｂ  拘束部材
４ｃ  ワイヤーロープ
４ｄ  当接部材
４ｅ  枢支軸
４ｆ  内筒
５  スカフォード
５ａ  吊ロープ
６  掘削機
７  保持装置
８  キブル
９  型枠
Ｃ  コンクリート側壁
Ｇ  地盤
Ｔ  立坑
【図１】
2007039894.tif 000003
【図２】
2007039894.tif 000004
【図３】
2007039894.tif 000005
【図４】
2007039894.tif 000006